(57)【要約】【課題】主にカメラや携帯電話等に用いられるレンズアクチュエータに関し、安定してワイヤへ電流を供給可能なものを提供することを目的とする。【解決手段】ベース７４は台座部９１と台座部９１に固定される電極９２とを備え、電極９２にワイヤ３３Ｂが接続され、かつフレキシブルプリント配線板７２と接続する接続部９２Ｂを備えることにより、電極９２を介してフレキシブルプリント配線板７２とワイヤ３３Ｂが電気的に安定して接続されるので、安定してワイヤ３３Ｂへ電流を供給可能なレンズアクチュエータを実現することができる。【選択図】図６
2015143722.tif 000002
【特許請求の範囲】
【請求項１】
レンズを光軸方向に移動させる可動ユニットと、前記可動ユニットに対し光軸方向に配置されたベースと、前記可動ユニットと前記ベースとの間に配置された配線基板と、前記配線基板に接続されたＯＩＳコイルと、前記可動ユニットと前記ベースを接続する複数のワイヤを備え、前記可動ユニットは前記ベースに対し電磁力により移動可能に構成され、
前記ベースは台座部と前記台座部に固定される電極とを備え、前記電極に前記ワイヤが接続され、かつ前記配線基板と接続する接続部を備えるレンズアクチュエータ。
【請求項２】
前記電極は、前記台座部にインサート成型され、前記台座部から前記接続部が露出した請求項１記載のレンズアクチュエータ。
【請求項３】
前記可動ユニットは、前記複数のワイヤが接続される上バネを備え、前記上バネと前記電極が弾性を備えた導電性の金属で構成される請求項１記載のレンズアクチュエータ。
【請求項４】
前記ＯＩＳコイルは前記レンズの光軸と直交する方向を軸として巻回され、前記可動ユニットに対向して配置される請求項１記載のレンズアクチュエータ。
【発明の詳細な説明】
【技術分野】
【０００１】
本発明は、主にカメラや携帯電話等に用いられるレンズアクチュエータに関するものである。
【背景技術】
【０００２】
近年、カメラや携帯電話等において、撮影時の手振れ等による映像や画像の乱れを抑制するため、レンズの振動を機械的に抑制する振れ補正機構を備えたレンズアクチュエータを用いたものが提案されている。
【０００３】
このような従来のレンズアクチュエータについて、図１３、図１４を用いて説明する。
【０００４】
図１３は従来のレンズアクチュエータ２０の斜視断面図、図１４は同分解斜視図である。ここで、レンズアクチュエータ２０は、可動ユニット１と四つのコイル保持体２Ａ〜２Ｄと下カバー３と、四本のワイヤ４と、上カバー５から構成され、手振れ等が生じると可動ユニット１が揺動して映像や画像の乱れを抑制するものである。
【０００５】
この可動ユニット１は、磁石ホルダ１１と、レンズが内部で上下動するオートフォーカスユニット１２と、撮像体１３を備えている。
【０００６】
ここで、オートフォーカスユニット１２の前後左右の内側面には、八つの磁石１４が上下二段に並んで固定されている。また、磁石１４より若干大きな四つの磁石１５が磁石ホルダ１１の前後左右の外側面に固定される。
【０００７】
また、オートフォーカスユニット１２はレンズが固定される円孔１２Ａを備え、磁石ホルダ１１の内側に収納されている。そして、オートフォーカスユニット１２内でレンズを保持するレンズホルダ１９には、その外周に上下二段にＡＦ（Ａｕｔｏ  Ｆｏｃｕｓ）コイル１６が巻回され、ＡＦコイル１６は磁石ホルダ１１の内側面に配置される磁石１４に対向している。
【０００８】
つまり可動ユニット１において、ＡＦコイル１６に電流が流れることにより、磁石１４との間で電磁力が生じ、レンズホルダ１９が磁石ホルダ１１に対し上下に可動するよう構成されている。
【０００９】
また、撮像体１３の上面には撮像素子１７が配置されている。ここで撮像素子１７はＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の半導体素子が用いられる。
【００１０】
この撮像素子１７は、円孔１２Ａの中心下方にあり、レンズホルダ１９を上下に移動させることで、撮像素子１７で撮像される映像あるいは画像の焦点を自動で合わせるオートフォーカス制御ができる。
【００１１】
そして、下カバー３の四隅にワイヤ４が立てられ、可動ユニット１の磁石ホルダ１１の上面の四隅に接続され、下カバー３上で可動ユニット１が揺動可能に保持される。さらに、コイル保持体２Ａ〜２Ｄが可動ユニット１の前後左右に配置されて、ＯＩＳ（Ｏｐｔｉｃａｌ  Ｉｍａｇｅ  Ｓｔａｂｉｌｉｚａｔｉｏｎ）コイル１８が磁石１５に対向した状態で配置される。
【００１２】
そして、レンズアクチュエータ２０を搭載した電子機器を使用した際に、手振れ等で、撮像素子１７で撮像した映像や画像が振れた場合には、可動ユニット１を揺動させることにより撮像した映像や画像を補正する振れ補正制御を行うものとなっていた。なお、ＡＦコイル１６にはワイヤ４を経由して電流を供給するものであった。
【００１３】
なお、この出願の発明に関連する先行技術文献情報としては、例えば、特許文献１が知られている。
【先行技術文献】
【特許文献】
【００１４】
【特許文献１】国際公開第２００９／１３３６９１号
【発明の概要】
【発明が解決しようとする課題】
【００１５】
しかしながら、上記従来のレンズアクチュエータは、ワイヤへどのように電流を供給するのか、十分開示されていなかった。
【００１６】
本発明は、このような従来の課題を解決するものであり、安定してワイヤへ電流を供給可能なレンズアクチュエータを提供することを目的とする。
【課題を解決するための手段】
【００１７】
上記目的を達成するために本発明は、特に、ベースが台座部と台座部に固定される電極とを備え、電極はワイヤが接続されておりかつ配線基板と接続する接続部を備えて構成される。
【発明の効果】
【００１８】
本発明によれば、ベースが台座部と台座部に固定される電極とを備え、電極はワイヤが接続されておりかつ配線基板と接続する接続部を備えることにより、電極を介して基板とワイヤが安定して接続されるので、安定してワイヤへ電流を供給可能なレンズアクチュエータを実現することができる。
【図面の簡単な説明】
【００１９】
【図１】本発明の実施の形態１によるレンズアクチュエータの分解斜視図
【図２】同レンズアクチュエータの断面図
【図３】同レンズアクチュエータの分解斜視図
【図４】同レンズアクチュエータに用いるベースの透過図
【図５】同レンズアクチュエータに用いる電極の斜視図
【図６】同レンズアクチュエータの要部断面図
【図７】本発明の実施の形態２によるレンズアクチュエータの分解斜視図
【図８】同レンズアクチュエータの断面図
【図９】同レンズアクチュエータに用いるコイルユニットの分解斜視図
【図１０】同レンズアクチュエータに用いるベースの透過図
【図１１】同レンズアクチュエータに用いる電極の斜視図
【図１２】同レンズアクチュエータの要部斜視図
【図１３】従来のレンズアクチュエータの斜視断面図
【図１４】同分解斜視図
【発明を実施するための形態】
【００２０】
以下、本発明の実施の形態について、図１〜図１２を用いて説明する。
【００２１】
（実施の形態１）
図１は本発明の実施の形態１によるレンズアクチュエータ１００の分解斜視図、図２は同断面図である。ここで、レンズアクチュエータ１００は、可動ユニット３１とコイルユニット３２と、ワイヤ３３Ａ〜３３Ｄと、上カバー３４から構成される。
【００２２】
このレンズアクチュエータ１００は、例えば左右方向（Ｙ軸方向）の幅が５ｍｍ〜２０ｍｍ、前後方向（Ｘ軸方向）の奥行きが５ｍｍ〜２０ｍｍ、上下方向（Ｚ軸方向）の高さが２ｍｍ〜１０ｍｍで、左右方向の幅と前後方向の奥行きはほぼ同じ寸法で構成される。
【００２３】
まず、可動ユニット３１の構成から説明する。ここで、図３に示すのはレンズアクチュエータ１００の詳細な分解斜視図である。
【００２４】
ここで、可動ユニット３１は、レンズホルダ４１と、磁石ホルダ４２と、下バネ４３と上バネ４４と下プレート４５と磁石４６Ａ〜４６Ｄから構成される。
【００２５】
レンズホルダ４１は、キャリア５１と、キャリア５１の外周に配置されたＡＦ（Ａｕｔｏ  Ｆｏｃｕｓ）コイル５２を備えている。
【００２６】
ここで、キャリア５１は中央に円孔５１Ａを備えた方形筒状で、ガラス入りポリカーボネートもしくは液晶ポリマー等の絶縁樹脂を材料として形成されている。ここで円孔５１Ａは直径が一定であっても、変化していても良い。また、内側にレンズを固定するためのネジ等の形状を備えていても良い。
【００２７】
ＡＦコイル５２は、線径Φ４０μｍ〜Φ６０μｍのエナメル線等のコイル線が、レンズの光軸方向を軸としてキャリア５１に巻回される。
【００２８】
また、磁石ホルダ４２は、前後左右を側壁４２Ａで囲む方形筒状でガラス入りポリカーボネート等の絶縁樹脂により形成されている。
【００２９】
また、磁石４６Ａ〜４６Ｄは、側壁４２Ａの内側に接着剤（図示せず）等で固定される。ここで、磁石４６Ａ〜４６Ｄは、内側面側の磁極が同じ磁極で着磁される。例えば、磁石４６Ａ〜４６Ｄの内側面はＳ極で着磁され、外側面がＮ極で着磁される。磁石４６Ａ〜４６Ｄは、ネオジム、鉄、ホウ素を主成分とする希土類磁石であるネオジム磁石等が用いられる。
【００３０】
そして、磁石ホルダ４２の側壁４２Ａ内部にレンズホルダ４１が収納され、ＡＦコイル５２と磁石４６Ａ〜４６Ｄが対向する。
【００３１】
下バネ４３は、外周部４３Ａと内周部４３Ｂとが、複数のバネ部４３Ｃで接続された導電金属製の板バネである。
【００３２】
上バネ４４は、外周部４４Ａと内周部４４Ｂとが、複数のバネ部４４Ｃで接続された導電金属製の板バネである。ここで、外周部４４Ａの四方の端部近傍には、孔４４Ｄが設けられる。
【００３３】
また、下プレート４５は、中央に円孔４５Ａを円孔４５Ａの周囲に四つの角孔４５Ｂを備える。この角孔４５Ｂに磁石４６Ａ〜４６Ｄが挿入され、磁石４６Ａ〜４６Ｄの下面が角孔４５Ｂから露出する。
【００３４】
そして、外周部４４Ａが磁石ホルダ４２の上面に、下プレート４５が外周部４３Ａを挟んで、磁石ホルダ４２の下面に固定される。また、内周部４３Ｂと内周部４４Ｂはレンズホルダ４１に固定される。これにより、ＡＦコイル５２に電流が流れていない場合は、レンズホルダ４１が磁石ホルダ４２に対し所定位置に復帰可能な構成となる。
【００３５】
このように構成された可動ユニット３１は、ＡＦコイル５２に電流を流すことにより、磁石４６Ａ〜４６Ｄとの間で電磁力が生じ、レンズホルダ４１が磁石ホルダ４２に対し上下に可動し、あるいはレンズホルダ４１の重量と下バネ４３、上バネ４４のバネ力と電磁力との均衡をとってレンズホルダ４１を停止させる。
【００３６】
また、ＡＦコイル５２に電流が流れていない場合は、レンズホルダ４１が磁石ホルダ４２に対し所定位置に復帰する。
【００３７】
次に、図１〜図６を用いて、可動ユニット３１以外の構成要素について説明する。
【００３８】
コイルユニット３２は、コイル体７１と、フレキシブルプリント配線板７２と、磁気検出素子７３と、ベース７４を備える。
【００３９】
コイル体７１は、保持部８１と、ＯＩＳ（Ｏｐｔｉｃａｌ  Ｉｍａｇｅ  Ｓｔａｂｉｌｉｚａｔｉｏｎ）コイル８２を備える。保持部８１は例えばガラスエポキシ基板や紙エポキシ基板やポリイミド基板等である。保持部８１の中央には円孔８１Ａが設けられる。ＯＩＳコイル８２は所定のパターンで保持部８１の上面に形成され、円孔８１Ａに対し前後左右方向に配置される。
【００４０】
ＯＩＳコイル８２には、長径コイル８２Ａと短径コイル８２Ｂがある。ここで、長径コイル８２Ａは、長径コイル８２Ａの最も長い幅が円孔８１Ａの直径の８割以上となるようパターンが決められる。また、短径コイル８２Ｂは、短径コイル８２Ｂの最も長い幅が円孔８１Ａの直径の２割以上５割以下となるようパターンが決められる。そして、長径コイル８２Ａは、円孔８１Ａに対し−Ｘ方向及び＋Ｙ方向に各一つずつ配置される。また、短径コイル８２Ｂは、＋Ｘ方向及び−Ｙ方向に各二つずつ配置され、同じ方向に配置された二つの短径コイル８２Ｂの間には、所定の幅で隙間８１Ｂが設けられる。
【００４１】
配線基板の一例であるフレキシブルプリント配線板７２は、内部に所定のパターンで配線が配置される。また、フレキシブルプリント配線板７２は中央に円孔７２Ａを備える。また、フレキシブルプリント配線板７２の四方の端部には、内部の配線に接続した端子７２Ｂが設けられる。そして、端子７２Ｂの中央に孔７２Ｃが配置される。なお、配線基板はフレキシブルプリント配線板でも良いし、ガラスエポキシ基板や紙エポキシ基板やポリイミド基板等のリジッド基板であっても良い。
【００４２】
位置検出素子の一例である磁気検出素子７３は、磁気の変化により可動ユニット３１の位置を検出する素子である。磁気検出素子７３として例えばホール素子があり、ホール素子を用いることで、磁石４６Ａ〜４６Ｄが発生する磁界を検出することができる。磁気検出素子７３は、フレキシブルプリント配線板７２の下面で、円孔７２Ａに対し＋Ｘ方向、−Ｙ方向の中央、隙間８１Ｂの下方に配置される。なお、位置検出素子は磁気を検出するものに限らず、静電容量の変化を検出する素子や赤外線の反射を用いるフォトリフレクター等でも良い。なお、磁気検出素子７３は、隙間８１Ｂの下方に配置されることで、短径コイル８２Ｂに電流が流れても短径コイル８２Ｂで生じる電磁界の影響を受け難い構成となっている。
【００４３】
図４はベース７４の構成を示す透過図で、図５は電極９２、９３の斜視図である。
【００４４】
図４、図５において、ベース７４は、台座部９１と電極９２、９３を備える。
【００４５】
台座部９１は、略方形の板状で、四隅に切り欠き部９１Ａを、中央に円孔９１Ｂを有する。
【００４６】
電極９２の端部が上方に折り曲げられて接続部９２Ａ、９２Ｂが構成され、接続部９２Ａ、９２Ｂから電極９２の若干内側寄りにそれぞれ孔９２Ｃ、９２Ｄが配置される。
【００４７】
また、電極９３の端部が上方に折り曲げられて接続部９３Ａ、９３Ｂが構成され、接続部９３Ａ、９３Ｂから電極９３の若干内側寄りにそれぞれ孔９３Ｃ、９３Ｄが配置される。
【００４８】
電極９２、９３は、四方の切り欠き部９１Ａから、接続部９２Ａ、９２Ｂ、９３Ａ、９３Ｂ及び孔９２Ｃ、９２Ｄ、９３Ｃ、９３Ｄが露出するよう、台座部９１内に一部を内蔵させ配置される。
【００４９】
なお、ベース７４を成型する際には、電極９２、９３をインサート成型により台座部９１と一体化させるのが好ましい。
【００５０】
そして、ベース７４の上方にフレキシブルプリント配線板７２が重ねられ、フレキシブルプリント配線板７２にコイル体７１が重ねられる。ここで、フレキシブルプリント配線板７２には、上側にＯＩＳコイル８２が接続され、下側に電極９２、９３が接続される。ここで、電極９２、９３とフレキシブルプリント配線板７２の間の接続は、接続部９２Ａ、９２Ｂ、９３Ａ、９３Ｂと端子７２Ｂとをハンダもしくは導電性接着剤等で接続することにより行われる。
【００５１】
ワイヤ３３Ａ〜３３Ｄは、可動ユニット３１とコイルユニット３２を接続する。ワイヤ３３Ａ〜３３Ｄは、可動ユニット３１と孔４４Ｄで接続する。また、ワイヤ３３Ａ〜３３Ｄはコイルユニット３２と、それぞれ孔９２Ｃ、９２Ｄ、９３Ｃ、９３Ｄの部分でハンダもしくは導電性接着剤等を用いて接続する。
【００５２】
すなわち、ワイヤ３３Ａ〜３３Ｄと電極９２、９３はハンダもしくは導電性接着剤等により接続され、ワイヤ３３Ａ〜３３Ｄと上バネ４４もハンダもしくは導電性接着剤等により接続される。
【００５３】
図６で示すのはワイヤ３３Ｂの接続を示す断面図である。
【００５４】
同図で、電極９２は、接続部９２Ｂでフレキシブルプリント配線板７２の端子７２Ｂと接続し、孔９２Ｄでワイヤ３３Ｂと接続する。なお、ワイヤ３３Ｂは孔７２Ｃを貫通するが、ワイヤ３３Ｂはフレキシブルプリント配線板７２に対して直接固定されることはない。これによりワイヤ３３Ｂは孔４４Ｄと孔９２Ｄで固定され、孔４４Ｄと孔９２Ｄとの間の部分が撓むことが可能となる。なお、ワイヤ３３Ｂを代表として示したが、図６の構成は他のワイヤ３３Ａ、３３Ｃ、３３Ｄにおいても同様である。このようにワイヤ３３Ａ〜３３Ｄは、フレキシブルプリント配線板７２に直接固定されることはないので、有効長を長くすることが可能で、可動ユニット３１の振れ幅を大きくできると共に落下衝撃に対しても耐久性を備える。
【００５５】
なお、ワイヤ３３Ａ〜３３Ｄを固定するハンダもしくは導電性接着剤が、上バネ４４の上側及び電極９２の下側に塗布される場合はハンダもしくは導電性接着剤の量が変わってもワイヤ３３Ａ〜３３Ｄの有効長が変わらない為、機械的特性を安定させることができる。
【００５６】
そして、可動ユニット３１のＡＦコイル５２に流れる電流は、フレキシブルプリント配線板７２から、電極９２或いは電極９３と、ワイヤ３３Ａ〜３３Ｄを介し供給される。また、ＯＩＳコイル８２に流れる電流もフレキシブルプリント配線板７２を介して供給される。
【００５７】
このように構成されたレンズアクチュエータ１００の、レンズホルダ４１の円孔５１Ａにレンズ（図示せず）が保持され、下方にＣＣＤイメージセンサやＣＭＯＳイメージセンサ等の撮像素子（図示せず）が配置されて、カメラや携帯電話等の電子機器に装着される。
【００５８】
そして、機器の電子回路（図示せず）に、ＡＦコイル５２と、ＯＩＳコイル８２がフレキシブルプリント配線板７２を介して、接続される。なお、ワイヤ３３Ａ〜３３Ｄのうち二本が電子回路に電気的に接続して、残り二本は電気的に接続されないよう構成しても良い。ここで、例えば孔９２Ｄ、９３Ｃに接続されるワイヤ３３Ｂ、３３Ｃが電子回路に接続される。
【００５９】
また、上バネ４４は二個に分割して構成することができる。この場合、上バネ４４の二個の分割部を、ＡＦコイル５２を構成するコイル線の両端にそれぞれ接続することにより、ＡＦコイル５２に通電を行うことが可能である。この場合、電子回路とＡＦコイル５２は、フレキシブルプリント配線板７２、電極９２、９３、上バネ４４を介して電気的に接続される。
【００６０】
このように構成されたレンズアクチュエータ１００において、例えば電子機器のシャッター用の押釦（図示せず）を軽く押圧操作すると、電子回路から電圧が印加されてＡＦコイル５２に電流が流れ、レンズホルダ４１及びレンズホルダ４１の円孔５１Ａに保持されたレンズが上下方向へ移動して、オートフォーカス制御が行われ、映像または画像のピント合わせを自動的に行う。
【００６１】
また、シャッター用の押釦をさらに押圧操作して撮影を行った際に、手振れ等が生じた場合には、振動を電子機器内に別途設けた角速度センサ（図示せず）等によって電子回路で検出し、電子回路がＯＩＳコイル８２に流す電流を制御して前後または左右方向へ可動ユニット３１を移動させ、振れ補正制御が行われる。
【００６２】
なお、本発明のレンズアクチュエータ１００によって撮影される映像もしくは画像は、静止画であっても動画であってもよい。
【００６３】
また、上バネ４４及び電極９２、９３は弾性を備えた導電性の金属で構成されるため、弾性の安定性及び耐久性等の機械的特性に優れる。このため可動ユニット３１を機械的に安定して支持することができて、振れ補正制御を安定して行うことができる。
【００６４】
なお、電極９２、９３の孔９２Ｃ、９２Ｄ、９３Ｃ、９３Ｄの周辺に位置する電極９２、９３の露出部の底面を接着剤等で封止することができる。これによりゴミの侵入を防止し、ワイヤをより安定に支持することが可能である。
【００６５】
また、本実施の形態では、ＯＩＳコイル８２及び磁気検出素子７３と接続されるフレキシブルプリント配線板７２と、ワイヤ３３Ａ〜３３Ｄを支持する電極９２、９３を別に設けているため、フレキシブルプリント配線板７２と電極９２、９３の位置及び構成の設計自由度を増すことができる。例えば、フレキシブルプリント配線板７２を電極９２、９３の上部に配置することにより、フレキシブルプリント配線板７２に接続されるＯＩＳコイル８２を磁石４６Ａ〜４６Ｄと近接して配置するのと同時に、ワイヤ３３Ａ〜３３Ｄが接続される上バネ４４と電極９２、９３との距離を大きくしてワイヤ３３Ａ〜３３Ｄの有効長を大きくすることができる。このことから、可動ユニット３１を動作させるための電磁力を大きくすることができて、しかもワイヤ３３Ａ〜３３Ｄの柔軟性を増すことができるので、可動ユニット３１の可動範囲を大きくして手振れ補正制御の効果を向上できる。さらに、ワイヤ３３Ａ〜３３Ｄの柔軟性を増すことにより、落下衝撃、耐久性を増すことができる。
【００６６】
さらに、フレキシブルプリント配線板７２を電極９２、９３の上部に配置し、かつ電極９２、９３を、ベース７４の周辺部に配置することで、例えば、台座部９１の円孔９１Ｂを上端の直径が下端の直径より小さくなるよう、二段或いはテーパーを有する形状で構成しうる。これにより、円孔９１Ｂの直径の最大幅を円孔７２Ａの直径の最大幅よりも大きく構成しうるため、撮像素子等が配置される空間を大きくして、レンズアクチュエータ１００が使用されるカメラシステム等の光学性能を向上しうる。
【００６７】
なお、オートフォーカス制御でレンズを光軸方向に移動させるオートフォーカス機構は、必ずしもＡＦコイル５２及び磁石４６Ａ〜４６Ｄを備えて構成しなくても良い。例えば、オートフォーカス機構は、形状記憶合金、ピエゾ素子、静電アクチュエータを用いても良い。
【００６８】
このように本実施の形態によれば、ベース７４は台座部９１と台座部９１に固定される電極９２、９３とを備え、電極９２、９３にワイヤ３３Ａ〜３３Ｄが接続され、かつ配線基板であるフレキシブルプリント配線板７２と接続する接続部９２Ａ、９２Ｂ、９３Ａ、９３Ｂを備えることにより、電極９２、９３を介してフレキシブルプリント配線板７２とワイヤ３３Ａ〜３３Ｄが電気的に安定して接続されるので、安定してワイヤ３３Ａ〜３３Ｄへ電流を供給可能なレンズアクチュエータ１００を実現することができる。
【００６９】
また、電極９２、９３は、台座部９１にインサート成型され、台座部９１から接続部９２Ａ、９２Ｂ、９３Ａ、９３Ｂが露出しているので、電極９２、９３が台座部９１に強固に固定され、安定してワイヤ３３Ａ〜３３Ｄに電流を供給しうる。
【００７０】
（実施の形態２）
以下、本発明の実施の形態２におけるレンズアクチュエータ２００について図面を参照しながら説明する。
【００７１】
本実施の形態において、実施の形態１と同様の構成については同一符号を付し、その詳細な説明は省略する。
【００７２】
図７は本発明の実施の形態２によるレンズアクチュエータ２００の分解斜視図、図８は同断面図である。ここで、レンズアクチュエータ２００は、可動ユニット１３１とコイルユニット１３２と、ワイヤ３３Ａ〜３３Ｄと、上カバー３４から構成される。
【００７３】
実施の形態２と実施の形態１との相違点は、主として、コイルユニット１３２がＯＩＳコイル１８２を備え、ＯＩＳコイル１８２は、可動ユニット１３１の外側面に面し、光軸方向に直交する方向が巻回の中心軸方向となる点である。
【００７４】
可動ユニット１３１は、実施の形態１の可動ユニット３１と比較すると、上バネ１４４の形状が異なる。可動ユニット１３１は、上バネ１４４以外の構成は可動ユニット３１と同様である。
【００７５】
ここで、上バネ１４４は、四方に突出した突出部１４４Ａを備え、それぞれの突出部１４４Ａに孔１４４Ｂを有する。
【００７６】
図９は、コイルユニット１３２の分解斜視図である。
【００７７】
同図において、コイルユニット１３２は、コイル部１７１と、フレキシブルプリント配線板１７２と、磁気検出素子７３と、ベース１７４を備える。
【００７８】
コイル部１７１は、コイル保持体１８１と、ＯＩＳコイル１８２を備える。コイル保持体１８１は、上面開放の方形箱状で中央に円孔１８１Ａを、前後左右の側面にコイル保持板１８１Ｂを備える。また、コイル保持板１８１Ｂそれぞれには、ＯＩＳコイル１８２が配置される。
【００７９】
配線基板の一例となるフレキシブルプリント配線板１７２は、内部に所定のパターンで配線が配置される。また、フレキシブルプリント配線板１７２は中央に円孔１７２Ａを備える。また、フレキシブルプリント配線板１７２の下面の二箇所には、内部の配線に接続した端子１７２Ｂが設けられる。
【００８０】
磁気検出素子７３は、可動ユニット１３１の位置を検出する素子である。磁気検出素子７３は、フレキシブルプリント配線板１７２の下面で、円孔１７２Ａに対し＋Ｘ方向、−Ｙ方向の端部の中央に配置される。
【００８１】
図１０はベース１７４の構成を示す透過図で、図１１は電極１９２、１９３の斜視図である。
【００８２】
ベース１７４は、台座部１９１と電極１９２、１９３を備える。
【００８３】
台座部１９１は、略方形の板状で、四隅に孔１９１Ａを、中央に円孔１９１Ｂを有する。
【００８４】
また、電極１９２は上方に折り曲げられた接続部１９２Ａを備え、左側の角部それぞれの近傍に孔１９２Ｂが設けられている。
【００８５】
さらに、電極１９３は上方に折り曲げられた接続部１９３Ａを備え、右側の角部それぞれの近傍に孔１９３Ｂが設けられている。
【００８６】
そして、電極１９２、１９３は、孔１９１Ａ内に孔１９２Ｂ、孔１９３Ｂを露出させ、台座部１９１の側面から接続部１９２Ａ、１９３Ａが露出するよう、台座部１９１内に一部を内蔵させ配置される。
【００８７】
なお、ベース１７４を成型する際には、電極１９２、１９３をインサート成型により台座部１９１と一体化させるのが好ましい。
【００８８】
そして、ベース１７４の上方にフレキシブルプリント配線板１７２が重ねられ、フレキシブルプリント配線板１７２にコイル部１７１が重ねられる。ここで、フレキシブルプリント配線板１７２に、ＯＩＳコイル１８２が接続され、電極１９２、１９３が接続される。
【００８９】
ワイヤ３３Ａ〜３３Ｄは、可動ユニット１３１とコイルユニット１３２を接続する。ワイヤ３３Ａ〜３３Ｄは、可動ユニット１３１と孔１４４Ｂで接続する。また、ワイヤ３３Ａ〜３３Ｄとコイルユニット１３２は、それぞれ孔１９２Ｂ、１９３Ｂで接続する。
【００９０】
ここで、ワイヤ３３Ａ〜３３Ｄと電極１９２、１９３はハンダ付けにより接続され、ワイヤ３３Ａ〜３３Ｄと上バネ１４４もハンダ付けにより接続される。
【００９１】
図１２は、ベース１７４とフレキシブルプリント配線板１７２の接続を示す斜視図である。ここで、電極１９２の接続部１９２Ａが端子１７２Ｂと接続し、孔１９２Ｂがワイヤ３３Ａに接続されている。これにより、ワイヤ３３Ａが電極１９２を介して、フレキシブルプリント配線板１７２に接続される。
【００９２】
このように構成されたレンズアクチュエータ２００の、可動ユニット１３１内にレンズ（図示せず）が保持され、下方にＣＣＤイメージセンサやＣＭＯＳイメージセンサ等の撮像素子（図示せず）が配置されて、カメラや携帯電話等の電子機器に装着される。
【００９３】
このように構成されたレンズアクチュエータ２００において、例えば電子機器のシャッター用の押釦（図示せず）を軽く押圧操作すると、可動ユニット１３１内に保持されたレンズが上下方向へ移動して、オートフォーカス制御が行われ、映像または画像のピント合わせを自動的に行う。
【００９４】
また、シャッター用の押釦をさらに押圧操作して撮影を行った際に、手振れ等が生じた場合には、振動を電子機器内に別途設けた角速度センサ（図示せず）等によって電子回路で検出し、電子回路がＯＩＳコイル１８２に流す電流を制御して前後または左右方向へ可動ユニット１３１を移動させ、振れ補正制御が行われる。
【００９５】
このように本実施の形態によれば、ＯＩＳコイル１８２はレンズの光軸と直交する方向を軸として巻回され、可動ユニット１３１に対向して配置されるので、可動ユニット１３１とフレキシブルプリント配線板１７２の間にＯＩＳコイルを配置する必要がなくなり、より薄型のレンズアクチュエータを提供しうる。
【産業上の利用可能性】
【００９６】
本発明によるレンズアクチュエータは、安定してワイヤへ電流を供給可能なものが得られ、主にカメラや携帯電話等のレンズ動作用として有用である。
【符号の説明】
【００９７】
３１、１３１  可動ユニット
３２、１３２  コイルユニット
３３Ａ〜３３Ｄ  ワイヤ
３４  上カバー
４１  レンズホルダ
４２  磁石ホルダ
４２Ａ  側壁
４３  下バネ
４３Ａ、４４Ａ  外周部
４３Ｂ、４４Ｂ  内周部
４３Ｃ、４４Ｃ  バネ部
４４、１４４  上バネ
４４Ｄ  孔
４５  下プレート
４５Ａ  円孔
４５Ｂ  角孔
４６Ａ〜４６Ｄ  磁石
５１  キャリア
５１Ａ  円孔
５２  ＡＦコイル
７１  コイル体
７２、１７２  フレキシブルプリント配線板
７２Ａ  円孔
７２Ｂ  端子
７２Ｃ  孔
７３  磁気検出素子
７４、１７４  ベース
８１  保持部
８１Ａ  円孔
８１Ｂ  隙間
８２、１８２  ＯＩＳコイル
８２Ａ  長径コイル
８２Ｂ  短径コイル
９１、１９１  台座部
９１Ａ  切り欠き部
９１Ｂ  円孔
９２、９３、１９２、１９３  電極
９２Ａ、９２Ｂ、９３Ａ、９３Ｂ、１９２Ａ、１９３Ａ  接続部
９２Ｃ、９２Ｄ、９３Ｃ、９３Ｄ  孔
１００、２００  レンズアクチュエータ
１４４Ａ  突出部
１４４Ｂ  孔
１７１  コイル部
１７２Ａ、１８１Ａ  円孔
１７２Ｂ  端子
１９１Ａ  孔
１９１Ｂ  円孔
１９２Ｂ、１９３Ｂ  孔
【図１】
2015143722.tif 000003
【図２】
2015143722.tif 000004
【図３】
2015143722.tif 000005
【図４】
2015143722.tif 000006
【図５】
2015143722.tif 000007
【図６】
2015143722.tif 000008
【図７】
2015143722.tif 000009
【図８】
2015143722.tif 000010
【図９】
2015143722.tif 000011
【図１０】
2015143722.tif 000012
【図１１】
2015143722.tif 000013
【図１２】
2015143722.tif 000014
【図１３】
2015143722.tif 000015
【図１４】
2015143722.tif 000016